(57)【特許請求の範囲】
【請求項１】
有機性廃棄物に対する生物学的な嫌気性処理の場となる嫌気性処理槽と、
前記有機性廃棄物の液体を前記嫌気性処理槽へ供給する供給配管と、
前記嫌気性処理槽に導電性物質を導入し、該導電性物質に前記生物学的な嫌気性処理を行うための嫌気性細菌を、嫌気性細菌：導電性物質の容積比が１．５：１〜０．１：１となる量で投入し、付着増殖させる導電性物質導入手段と、
前記嫌気性処理槽の温度を４５℃以上７０℃以下の温度に制御する温度制御手段と、
前記嫌気性処理槽における前記処理液の取出し位置よりも下方位置から前記嫌気性処理槽内の液体を前記供給配管に返送し、前記有機性廃棄物の液体の導入量を調整し、且つ該嫌気性処理槽内の上向流の流速を調整する返送経路と、
を有すると共に、
前記嫌気性処理槽が、前記嫌気性処理により生成するバイオガス、処理槽中の液体及び前記嫌気性処理槽中の浮遊物を分離する分離手段と、
を有することを特徴とする有機性廃棄物の処理装置。
【請求項２】
前記有機性廃棄物が液体であり、
前記嫌気性処理槽が、前記導電性物質を充填した固定ろ床又は流動床を備える上向流式処理槽であることを特徴とする請求項１に記載の有機性廃棄物の処理装置。
【請求項３】
前記有機性廃棄物が液体であり、
前記分離手段が、前記嫌気性処理により生成するバイオガス、処理槽中の液体及び処理槽中の浮遊物を分離することを特徴とする請求項１に記載の有機性廃棄物の処理装置。
【請求項４】
前記導電性物質が、１種以上の１ｍΩ・ｍ以下の電気抵抗率を有する物質であることを特徴とする請求項１に記載の有機性廃棄物の処理装置。
【発明の詳細な説明】
【技術分野】
【０００１】
本発明は、有機性廃棄物の処理方法及び処理装置に関し、特に、有機性廃棄物に対して嫌気性処理を施す有機性廃棄物の処理方法及び処理装置に関する。
【背景技術】
【０００２】
従来、有機性廃棄物を無害化する方法として活性汚泥法等の好気性処理が用いられていたが、好気性処理は曝気等を行うためにエネルギー消費量が多く、また、汚泥発生量が多い。そこで、近年ではエネルギー消費量が少なく、汚泥発生量も少ない嫌気性処理が用いられるようになってきている。
【０００３】
しかしながら、嫌気性処理は好気性処理と比較すると処理速度が遅いため、好気性処理と同等の量の有機性廃棄物を処理するためには大きな処理装置が必要となり、装置の設置場所及び装置の製造コストの問題が生じる。
【０００４】
そこで、有機性廃棄物の嫌気性処理の処理速度を向上させる方法が検討されており、例えば、反応槽内に高濃度の微生物を保持可能とすることで処理速度を向上させるＵＡＳＢ（上向流嫌気性スラッジブランケット）法や、微生物による処理温度を５０〜５５℃に高めることで処理速度を向上させる方法が挙げられる。
【０００５】
しかしながら、好気性処理と比較するとこれらの方法によっても処理速度は遅く、また、単に高温にして処理速度を高めたのでは短期的には処理速度が上がってもその処理速度向上効果が持続しないことが課題として残り、したがって、長期に亘って処理速度を向上させる方法が求められていた。
【０００６】
特許文献１には、効率的に嫌気性処理であるメタン発酵を行う方法が開示されている。具体的には、特許文献１は、耐熱性微生物（耐熱性放線菌と耐熱性細菌）を保持した多孔質担体（活性炭等から選択される）をメタン菌が含まれる有機性廃棄物に添加し、発酵温度を５５℃〜８０℃で５日間以上エアレーションした後、メタン発酵を行う方法を開示する。
【０００７】
特許文献１の方法によれば、メタン発酵前に多孔質担体に担持された耐熱性微生物が有機性廃棄物を効率良く分解することでメタン菌によるメタン発酵の速度が向上し、メタン菌のみによるメタン発酵と比べてメタンガスがより発生することとなる。
【０００８】
また、特許文献２には、家畜糞尿などと比べて浮遊物質が少ない有機性廃水に対し、導電性炭素の粉状体を微生物担体として利用するメタン発酵処理システムが開示されている。特許文献２のメタン発酵処理システムによれば、従来、嫌気性微生物の自己凝集機能により反応槽中に蓄積するグラニュールの性質によってメタンガス生成量が左右されていたところ、浮遊物質が少ない有機物を含有している液体であっても導電性炭素にメタン生成菌が付着することによりメタン生成菌の反応槽内への蓄積が促される。したがって、メタン生成菌が反応槽内で形成するグラニュール層の性質にかかわらず、安定してメタンガスを生成することが可能となる。
【０００９】
さらに、特許文献３には、活性炭を充填した固定ろ床又は流動床の上向流式嫌気反応器を用いて嫌気性処理を行うにあたり、嫌気反応器中の阻害性有機物の濃度を調整し得る有機性廃液の処理方法が開示されている。
【００１０】
阻害性有機物とは、微生物（ここでは、嫌気性微生物）の基質とはならない有機物をいい、具体的には、特許文献３の有機性廃液の処理方法は、嫌気反応器に流入する阻害性有機物の濃度が一定の濃度以下となるように反応器に処理水の一部を循環させるものである。
【００１１】
阻害性有機物が嫌気反応器中に蓄積するとＣＯＤ（化学的酸素要求量）の除去率が低下するところ、特許文献３の有機性廃液の処理方法によれば、嫌気反応器中への阻害性有機物の蓄積が抑制され、長期間に亘って安定的に嫌気性処理を行うことが可能となる。
【先行技術文献】
【特許文献】
【００１２】
【特許文献１】特開２００９−４５５６０号公報
【特許文献２】特開２０１１−２１２５１３号公報
【特許文献３】特許第４４２８１８８号公報
【発明の概要】
【発明が解決しようとする課題】
【００１３】
しかしながら、特許文献１の方法によれば、エアレーションしつつ耐熱性微生物を多孔質担体に担持させる好気的前処理工程が必須となり、曝気等を行う好気性処理同様にエネルギー消費量が多いという問題を抱えることとなってしまう。
【００１４】
また、特許文献２のメタン発酵処理システムによれば、中温メタン発酵の反応初期（０〜２４時間）においてバイオガスの生成量の増大効果が得られるものの、それ以降は非導電性多孔質担体を用いた場合と比較した有意なバイオガスの生成量の増大効果は得られていない。すなわち、長期に亘って嫌気性処理の処理速度を向上させ続ける効果は得られていない。
【００１５】
さらに、特許文献３の有機性廃液の処理方法によれば、嫌気反応器に流入する阻害性有機物の濃度が一定濃度以下に抑制され、嫌気性処理を長期にわたって安定的に行うことができるものの、嫌気性処理の処理速度を向上させることができるか否かについての知見は得られていない。
【００１６】
本発明は、上記課題に鑑みてなされたものであり、その目的は、好気性処理を伴うことなく長期に亘り嫌気性処理の処理速度を向上させることができる有機性廃棄物の処理方法及び処理装置を提供することにある。
【課題を解決するための手段】
【００１７】
上記目的は、有機性廃棄物に対する生物学的な嫌気性処理の場となる嫌気性処理槽と、前記有機性廃棄物の液体を前記嫌気性処理槽へ供給する供給配管と、前記嫌気性処理槽に導電性物質を導入し、該導電性物質に前記生物学的な嫌気性処理を行うための嫌気性細菌を、嫌気性細菌：導電性物質の容積比が１．５：１〜０．１：１となる量で投入し、付着増殖させる導電性物質導入手段と、前記嫌気性処理槽の温度を４５℃以上７０℃以下の温度に制御する温度制御手段と、前記嫌気性処理槽における前記処理液の取出し位置よりも下方位置から前記嫌気性処理槽内の液体を前記供給配管に返送し、前記有機性廃棄物の液体の導入量を調整し、且つ該嫌気性処理槽内の上向流の流速を調整する返送経路と、を有すると共に、前記嫌気性処理槽が、前記嫌気性処理により生成するバイオガス、処理槽中の液体及び前記嫌気性処理槽中の浮遊物を分離する分離手段と、を有することを特徴とする有機性廃棄物の処理装置によっても達成される。
【００１８】
この構成によれば、嫌気性処理槽において、高温で生物学的な嫌気性処理を施すこと及び導電性物質の存在下で嫌気性処理を行うことの組合せにより、別途好気性処理を伴うことなく、従来それぞれの条件のもとでは達成し得なかった嫌気性処理の処理速度を長期に亘って向上させることを可能としている。
【００１９】
本発明に係る有機性廃棄物の処理装置の好ましい態様は以下の通りである。
【００２０】
（１）有機性廃棄物が液体であり、嫌気性処理槽が、導電性物質を充填した固定ろ床又は流動床を備える上向流式処理槽である。これにより、嫌気性処理に関与する微生物を固定ろ床又は流動床に付着増殖させるため、微生物の安定した自己造粒が困難な希薄廃液や高濃度浮遊物含有廃液にも適用でき、より長期に亘り嫌気性処理の処理速度を向上させることができる。
（２）有機性廃棄物が液体であり、分離手段が、嫌気性処理により生成するバイオガス、処理槽中の液体及び処理槽中の浮遊物を分離する。これにより、処理槽における微生物と有機性廃液との接触反応が促進されるとともに、微生物や導電性物質の処理水への流出を極力少なくでき、処理槽内の菌体濃度の高めることができる。
（３）導電性物質が、１種以上の１ｍΩ・ｍ以下の電気抵抗率を有する物質である。
【発明の効果】
【００２１】
本発明によれば、高温で生物学的な嫌気性処理を施すこと及び導電性物質の存在下で嫌気性処理を行うことの組合せにより、別途好気的処理を伴うことなく、従来それぞれの条件のもとでは達成し得なかった嫌気性処理の処理速度を長期に亘って向上させることを可能としている。
【図面の簡単な説明】
【００２２】
【図１】本発明の実施の形態に係る有機性廃棄物の処理方法の概略を示す図である。
【図２】本発明の第１実施の形態に係る有機性廃棄物の処理装置１０を示す図である。
【図３】本発明の第２実施の形態に係る有機性廃棄物の処理装置５０を示す図である。
【発明を実施するための形態】
【００２３】
次に、本発明の実施の形態について図に基づいて詳細に説明する。
【００２４】
（第１実施の形態）
図１は、本実施の形態に係る有機性廃棄物の処理装置１０を示す図である。図示のように、本実施の形態に係る有機性廃棄物の処理方法は、嫌気性細菌２を含む処理槽１に対して導電性物質４及び有機性廃棄物６が導入され、処理槽１内の有機性廃棄物６に対して４５℃以上７０℃以下の温度で生物学的な嫌気性処理が施され、得られた処理物８が処理槽１から取り出されるというものである。
【００２５】
有機性廃棄物６は、食品工場や飲食店から排出される有機性廃液、並びに食品系廃棄物、家畜糞尿及び有機性汚泥等の有機性固形物を挙げることができる。尚、有機性廃棄物６はこれらに限定されるものではなく、嫌気性細菌２によって分解可能な有機化合物を含む廃棄物であれば、本発明に係る有機性廃棄物の処理方法及び処理装置の処理対象となりうる。
【００２６】
嫌気性細菌２は、嫌気性環境下、すなわち、溶存酸素濃度（ＤＯ）が０〜０．３ｍｇ／Ｌ、白金電極で測定した酸化還元電位が＋５０ｍＶ以下の状態で生育する細菌であり、例えば、メタン生成古細菌、酸生成細菌、水素生成細菌、硫酸還元菌、鉄還元菌、硝酸還元菌等が挙げられる。嫌気性細菌２は、嫌気性細菌２から主に構成されるグラニュール汚泥あるいは消化汚泥として処理槽１に添加される。
【００２７】
導電性物質４は、電気抵抗率が１ｍΩ・ｍ以下、好ましくは、１００μΩ・ｍ以下の物質であり、例えば、グラファイト、マグネタイト、硫化鉄鉱物、還元鉄及び活性炭から選択される１種以上の物質である。導電性物質４は、どのような形状であってもよいが、有機性廃棄物６との接触面積を大きくとる観点から粒状体であることが好ましく、例えば、粒径１０ｍｍ以下の粒状体であり、好ましくは、粒径３ｍｍ以下の粒状体であり、更に好ましくは粒径１ｍｍ以下の粒状体である。さらに、導電性物質４は、フェルト状又は多孔性状など、表面積が大きくなるように加工したものを用いることが、後述する嫌気性処理の速度向上の観点から好ましい。
【００２８】
次に、本実施の形態に係る有機性廃棄物の処理装置１０を、液体の有機性廃棄物６を処理する場合を例に説明する。尚、ここでいう液体には、有機性汚泥等を水に分散させた分散物や、常温で固体の油脂系廃棄物を加熱により液状としたものも含むものとする。
【００２９】
有機性廃棄物の処理装置１０は、有効容積２Ｌの上向流嫌気性汚泥床式反応器であり、図２に示すように、上部１２ａ及び底部１２ｂを閉塞した略四角筒状の嫌気性処理槽１２を有する。本実施の形態においてはラボレベルの有効容積を有する処理装置１０を用いているが、必要に応じてプラントレベルの有効容積までスケールアップ（拡大）することができる。
【００３０】
嫌気性処理槽１２の底部１２ｂには、処理対象となる液体の有機性廃棄物６の供給配管１４が接続されており、上部１２ａ側の嫌気性処理槽１２の側面には、嫌気性処理槽１２中で処理された処理液（処理物８）を下流へと送液する送液管１８が取り付けられている。
【００３１】
嫌気性処理槽１２内の上向流は、送液管１８からの処理液（処理物８）の引抜き及び供給配管１４からの有機性廃棄物６の液体の供給のいずれか一方又は双方により生み出される。尚、有機性廃棄物の処理装置１０は、嫌気性処理槽１２の側壁における送液管１８が取り付けられた位置より下方位置に一端が取り付けられ、他端が供給配管１４に取り付けられて嫌気性処理槽１２内の液を供給配管１４へと返送する返送経路１６を有しており、返送経路１６により上向流の流速が調整される。
【００３２】
また、嫌気性処理槽１２の上部１２ａには、嫌気性処理槽１２の内部に種汚泥（嫌気性細菌２）及び導電性物質４を導入するための導入手段２０が設けられ、さらに、嫌気性処理槽１２には、その外周面を覆う温水ジャケット２２が取り付けられており、温水ジャケット２２の温度は、温度センサ２３により測定された嫌気性処理槽１２内の温度に基づき、温水循環路２１中を循環する温水の温度を上昇させ、あるいは低下させる制御が行われる。かかる制御は図示しない制御部により行われ、これにより嫌気性処理槽１２の温度が一定の温度に調節される。
【００３３】
すなわち、温水ジャケット２２、温度センサ２３、温水循環路２１及び制御部（図示省略）は、嫌気性処理槽１２の温度を所定範囲の温度に制御する温度制御手段を構成する。
【００３４】
嫌気性処理槽１２の内部には、図示左右の両側壁のそれぞれに一端が固定され、他端側が反対側の側壁方向且つ下方に向けて延在するように傾斜配置した邪魔板２４（板部材）を、上下方向に３箇所左右交互に設けている。
【００３５】
邪魔板２４の傾斜配置は、邪魔板２４と嫌気性処理槽１２の側壁とがなす角θが３５度以下の鋭角となるようになされる。角θが３５度を超える角度の場合には、邪魔板２４の上部に嫌気性処理槽１２中の浮遊物（有機性廃棄物６の液体中に存在していた固形物、導電性物質４、嫌気性細菌２のグラニュール等の浮遊性固形物）が堆積してその堆積物近傍にデッドスペースが形成され、槽内の流動性が不十分となる。
【００３６】
邪魔板２４は、平面視で嫌気性処理槽１２の横断面積の１／２以上となる大きさを有する。邪魔板２４の大きさが、平面視で嫌気性処理槽１２の横断面積の１／２未満となる場合には、平面視で図示左右の側壁に設けられた邪魔板２４相互の間に邪魔板２４に覆われていない隙間が生じるので、嫌気性処理の過程で生じるバイオガスの邪魔板２４による捕捉が不十分となり、バイオガス、処理液（処理物８）及び浮遊物の分離が不十分となる。すなわち、上記邪魔板２４に覆われていない隙間から発生したバイオガスが嫌気性処理槽１２の上部に流出してしまい、バイオガスを集積させることができないこととなる。
【００３７】
図２に示すように、邪魔板２４と嫌気性処理槽１２の内側面（側壁）とによって形成された下方に開口する凹部２６（分離手段）は、後述する嫌気性処理において生成して浮上するバイオガス及び上向流に伴って上昇する嫌気性処理槽１２内の浮遊物を捕捉する捕捉領域となる。
【００３８】
嫌気性処理槽１２の側壁には、凹部２６の上部に連通する管路が設けられており、凹部２６の上部に集積したバイオガスがこの管路を介して嫌気性処理槽１２の外部へと移送される。すなわち、この管路はバイオガス回収経路２８を構成する。
【００３９】
嫌気性処理槽１２の下部には、導電性物質４を配置するための多孔板３０が設けられており、多孔質板３０上には、少量の支持層（ろ過砂利等、図示せず）を介して１Ｌの導電性物質４が流層床として充填されている。嫌気性処理槽１２内に配置される導電性物質４の量は、嫌気性処理槽１２の有効容積に対して５％以上６０％以下の量とすることが好ましい。
【００４０】
次に、上記構成を有する有機性廃棄物の処理装置１０を用いた有機性廃棄物の処理方法を説明する。
【００４１】
まず、処理装置１０内に種汚泥（嫌気性細菌２）を投入する。種汚泥は、種汚泥：導電性物質４の容積比が１．５：１〜０．１：１となる量で投入する。この範囲より種汚泥の容量が少ないと導電性物質４上で増殖する嫌気性細菌２が不足して嫌気性処理の処理速度が低下し、逆に種汚泥の容量が大きいと嫌気性細菌２と接触する導電性物質４が不足し、処理速度の向上効果が阻害される。
【００４２】
次に、供給配管１４を介して嫌気性処理槽１２内に有機性廃棄物６の液体を導入する。有機性廃棄物６の液体の導入量は、嫌気性処理槽１２内でのＣＯＤｃｒ容積負荷が１ｋｇ／ｍ３／日以上とすることが好ましく、３ｋｇ／ｍ３／日以上とすることがさらに好ましい。また、嫌気性処理槽１２内でのＣＯＤｃｒ容積負荷は、５０ｋｇ／ｍ３／日以下とすることが好ましく、４０ｋｇ／ｍ３／日以下とすることがさらに好ましい。尚、ＣＯＤｃｒ容積負荷とは、１日で処理する有効容積１ｍ３あたりの有機性廃棄物６の量を、化学的酸素要求量（ＣＯＤｃｒ）で表わしたものである。
【００４３】
上記有機性廃棄物６の液体の導入量は、具体的には、送液管１８からの処理液（処理物８）の引抜き及び供給配管１４からの有機性廃棄物６の液体の供給のいずれか一方又は双方により調整され、さらに、返送経路１６を介した嫌気性処理槽１２内の液の供給配管１４への返送によっても調整される。
【００４４】
有機性廃棄物の処理装置１０において処理対象物である有機性廃棄物６の液体に嫌気性細菌２を作用させる時間は、２時間以上とすることが好ましく、５時間以上とすることがより好ましい。また、この時間は１０時間以下とすることが好ましく、２４時間以下とすることがより好ましい。
【００４５】
有機性廃棄物の処理装置１０における嫌気性処理は、反応ｐＨを６．５以上として行うことが好ましく、７．０以上とすることがより好ましい。また、このｐＨは８．５以下として行うことが好ましく、８．０以下として行うことがより好ましい。
さらに、有機性廃棄物の処理装置１０における嫌気処理は、反応温度を４５℃以上として行うことが好ましく、５５℃超として行うことがより好ましい。また、この温度を７０℃以下として行うことが好ましく、６７℃以下として行うことがより好ましい。このような温度条件で嫌気性処理を行うと、導電性物質を共存させた効果が飛躍的に高まるからである。
【００４６】
したがって、本実施の形態に係る有機性廃棄物の処理方法及び処理装置によれば、４５℃以上７０℃以下の高温で生物学的な嫌気性処理を施すこと及び導電性物質４の存在下で嫌気性処理を行うことの組合せにより、別途好気性処理を伴うことなく、従来それぞれの条件のもとでは達成し得なかった嫌気性処理の処理速度を長期に亘って向上させることを可能としている。
【００４７】
また、嫌気性処理槽１２が、導電性物質４を充填した流動床を備える上向流式処理槽であるから、嫌気性処理に関与する嫌気性細菌２を導電性物質４を充填した流動床に付着増殖させるため、嫌気性細菌２の安定した自己造粒が困難な希薄廃液や高濃度浮遊物含有廃液にも適用でき、より経時的に安定した嫌気性処理を行うことができる。
【００４８】
さらに、従来、上向流式嫌気性処理反応器においては、反応器内で行われる嫌気性処理により発生したバイオガスが上方に移動し、反応器内で生じる上向流にのって浮遊物が上方に移動すると、反応器内部の液面に厚いフロスが形成されて反応器からのバイオガスの取り出し、反応器上部からの処理液の取り出しが困難となり、且つ、浮遊物が液面に維持されることで浮遊物の流動が阻害されていた。そして、これらの複合要因によって処理速度の向上が阻害されている状態が生じていた。
【００４９】
しかしながら、本実施の形態に係る有機性廃棄物の処理方法及び処理装置１０によれば、上方に移動する浮遊物及びバイオガスが複数の凹部２６（分離手段）に分散されて捕捉され、バイオガスは凹部２６の上部に集積し、バイオガス回収経路２８から嫌気性処理槽１２外部へと移送される。一方、各凹部２６に分散されて捕捉された浮遊物はバイオガスと分離して下方へと流動する。
【００５０】
その結果、嫌気性処理槽１２中の液体のみが凹部２６に捕捉されずに上方に移動し、嫌気性処理槽１２の上部１２ａ近傍で処理液（処理物８）が送液管１８により下流に移送される。
【００５１】
このように、凹部２６（分離手段）によって生成するバイオガス、嫌気性処理後の処理液（処理物８）及び処理槽中の浮遊物が分離されるので、嫌気性処理槽１２における嫌気性細菌２と有機性廃棄物６の液体との接触反応が促進されるとともに、嫌気性細菌２や導電性物質４の送液管１８への流出を極力少なくでき、処理槽内の菌体濃度を高めることができる。よって、処理速度が高い状態を、さらに長期に亘って維持することが可能となる。
【００５２】
なお、本実施の形態では、有機性廃棄物６の処理方法を実施するにあたり、上向流嫌気性汚泥床式反応器を用いて有機性廃棄物６の液体を連続的に処理する場合について説明しているが、これに限定されるものではなく別の構成を採用することも可能である。
【００５３】
（第２実施の形態）
以下に、有機性廃棄物６の固形物を回分式で処理する有機性廃棄物の処理装置５０を、図３に基づいて説明する。図３において上記図１〜図２に示した実施の形態と同様の要素には、同一の符号を付しその説明を省略する。図３は、第２実施の形態に係る有機性廃棄物の処理装置５０を説明する図である。
【００５４】
図示のように、有機性廃棄物の処理装置５０は、円筒体を横倒しに配置した形状を有する有効容積８００ｍｌの嫌気性処理槽５２と、円筒体の両側面に軸支されて嫌気性処理槽５２内部を撹拌可能な撹拌機５４を有する。
【００５５】
嫌気性処理槽５２の外周面には、円筒体の外周を覆うように温水ジャケット２２が取り付けられており、温水ジャケット２２の温度は、温度センサ２３により測定された嫌気性処理槽５２内の温度に基づき、温水循環路２１中を循環する温水の温度を上昇させ、あるいは低下させる制御が行われる。かかる制御は図示しない制御部により行われ、これにより嫌気性処理槽５２の温度が一定の温度に調節される。
【００５６】
すなわち、温水ジャケット２２、温度センサ２３、温水循環路２１及び制御部（図示省略）は、嫌気性処理槽５２の温度を所定範囲の温度に制御する温度制御手段を構成する。
【００５７】
嫌気性処理槽５２の上部には、開口部５６と、開口部５６を密閉可能な蓋部５８が設けられている。本実施の形態においては、開口部５６を介して有機性廃棄物６の固形物、種汚泥（嫌気性細菌２）及び導電性物質４が導入される。
【００５８】
すなわち、開口部５６は、導電性物質を嫌気性処理槽５２に導入するための導電性物質導入手段を構成している。
【００５９】
次に、本実施の形態に係る有機性廃棄物の処理装置５０を用いた有機性廃棄物の処理方法について説明する。
【００６０】
まず、開口部５６を介して処理装置５０内に種汚泥（嫌気性細菌２）及び導電性物質４を導入する。嫌気性細菌２と導電性物質４の容積比の範囲は、第１実施の形態と同様である。
【００６１】
次に、有機性廃棄物６の固形物を、開口部５６を介して導入する。有機性廃棄物６の固形物を導入する場合の導入量は、嫌気性処理槽１２内でのＣＯＤｃｒ容積負荷が０．５ｋｇ／ｍ３／日以上とすることが好ましく、１ｋｇ／ｍ３／日以上とすることがさらに好ましい。また、嫌気性処理槽１２内でのＣＯＤｃｒ容積負荷は、１０ｋｇ／ｍ３／日以下とすることが好ましく、８ｋｇ／ｍ３／日以下とすることがさらに好ましい。特に、油脂を主体とする固形物の有機性廃棄物６を導入する場合の導入量は、嫌気性処理槽１２内でのＣＯＤｃｒ容積負荷が２０ｋｇ／ｍ３／日以下とすることが好ましく、１０ｋｇ／ｍ３／日以下とすることがさらに好ましい。
【００６２】
有機性廃棄物６の導入後、開口部５６を介して嫌気性処理槽５２の気相部を窒素ガスで置換した後、開口部５６を蓋部５８により密閉し、撹拌機５４によって嫌気性処理槽５２内部を撹拌しつつ嫌気性処理を行う。
【００６３】
有機性廃棄物の処理装置５０において処理対象物である有機性廃棄物６の固形物に嫌気性細菌２を作用させる時間は、１０日以上とすることが好ましく、１５日以上とすることがより好ましい。また、この時間は４０日以下とすることが好ましく、６０日以下とすることがより好ましい。
【００６４】
嫌気性処理のｐＨの範囲及び温度範囲は、第１実施の形態と同様である。
【００６５】
したがって、本実施の形態に係る有機性廃棄物の処理方法及び処理装置５０によっても、４５℃以上７０℃以下の高温で生物学的な嫌気性処理を施すこと及び導電性物質４の存在下で嫌気性処理を行うことの組合せにより、別途好気性処理を伴うことなく、従来それぞれの条件のもとでは達成し得なかった嫌気性処理の処理速度を長期に亘って向上させることを可能としている。
【００６６】
なお、本発明は上記実施の形態に限定されることはなく、発明の趣旨を逸脱しない範囲で種々変更可能である。上記第１及び第２実施の形態においては、温水ジャケット２２を含む温度制御手段を採用しているが、これに限られるものではない。例えば、温水ジャケット２２に代えて、嫌気性処理槽の周囲を電熱ヒーターや熱媒体として蒸気を用いたジャケットで覆っていてもよく、嫌気性処理槽の内部に投げ込みヒーターや直接蒸気を導入することで温度制御を行うこととしてもよい。
【００６７】
また、嫌気性処理槽としては、上記上向流嫌気性汚泥床式反応器及び回分式反応器に限らず、ＥＧＳＢ（膨張粒状汚泥床）法等、他の公知の装置を用いるものとしてもよい。
【００６８】
特に、槽内容物を上向流で運転するＵＡＳＢ法やＥＧＳＢ法などの装置を利用するとよりよい処理性能が得られる傾向があり、特に槽内への通水速度を１〜５ｍとすると更に良い処理性能が得られる傾向がある。ＥＧＳＢ法での装置を利用する場合、内部の邪魔板２４を三段に設定することで処理性能を向上させることが可能である。
【００６９】
本発明における嫌気性処理は原則としてバイオガスを発生するため、バイオガス回収経路２８の下流にはバイオガスを貯留するためのガスホルダや脱硫処理装置等の付帯設備を有することが好ましい。嫌気性処理槽は、上記のように処理対象物（嫌気性処理槽の槽内容物）の温度を調整できる手段をさらに有するものであることが好ましい。また、処理対象物（嫌気性処理槽の槽内容物）のｐＨを調整できる手段を有することが好ましい。ｐＨは公知の酸、アルカリ添加手段によって調整することができる。
【実施例】
【００７０】
以下、本発明を実施例により説明する。
【００７１】
［実施例１］
１−１．種汚泥（嫌気性細菌２）の馴致
食品工場から排出される油脂スカムを有機性廃棄物６の固形物として嫌気性処理の連続処理を行い、種汚泥（嫌気性細菌２）の馴致を行った。原料の性状はＣＯＤｃｒ＝６００，０００ｍｇ／Ｌ、ヘキサン抽出物質＝１５，０００ｍｇ／Ｌであり、連続処理は５５℃で行い、種汚泥の馴致を約３００日間行った。また、ヘキサン抽出物質とは、有機性廃棄物を有機溶剤のヘキサンと混合することにより、ヘキサン側に抽出される物質のことをいい、「ＪＩＳＫ０１０２：２０１３  工場排水試験  方法  ２４．２」にしたがって測定される。
【００７２】
１−２．バイオガス発生量の比較（バイアル試験）
バイオガス発生量の比較には、本発明の第２実施の形態に係る有機性廃棄物の処理装置５０を用いた。すなわち、「１−１．種汚泥（嫌気性細菌２）の馴致」で馴致した種汚泥（嫌気性細菌２）を、図３に示す嫌気性処理槽５２に３００ｍＬずつ導入したものを４検体準備した。
【００７３】
それぞれの検体に、導電性物質４としてグラファイトフェルト（検体１）、マグネタイト（検体２）、硫化鉄鉱物（検体３）及び粒状活性炭（検体４）を３０ｇずつ添加し、さらに前記食品工場から排出される油脂スカム（有機性廃棄物６の固形物）をそれぞれ１０ｇずつ投入した後、気相部を窒素ガスで置換し、密閉条件下、６０℃で嫌気性処理を行った。
【００７４】
その後、生成バイオガスをテフロン（登録商標）バックに回収してガス発生量を計測し、各検体における嫌気性処理の処理速度を評価した。以下、当該「１−２．バイオガス発生量の比較」に記したように、第２実施の形態の嫌気性処理槽５２を用いて回分式の嫌気性処理を行い、ガス発生量を計測することをバイアル試験という。
【００７５】
［比較例１］
連続処理の温度を３５℃としたこと以外は上記実施例１の「１−１．種汚泥（嫌気性細菌２）の馴致」に記載の方法と同様にして種汚泥の馴致を行い、第２実施の形態に係る嫌気性処理槽５２に得られた種汚泥を３００ｍＬずつ導入したものを２検体準備した。
【００７６】
一方の検体には微生物担体として発泡ウレタンを３０ｇ導入し（検体１）、他方の検体には微生物担体及び導電性物質４のいずれも導入することなく（検体２）、さらに前記食品工場から排出される油脂スカム（有機性廃棄物６の固形物）をそれぞれ１０ｇずつ投入した後、気相部を窒素ガスで置換し、密閉条件下、６０℃で嫌気性処理を行った。
【００７７】
その後、生成バイオガスをテフロン（登録商標）バックに回収してガス発生量を計測し、各検体における嫌気性処理の処理速度を評価した。
【００７８】
［比較例２］
連続処理の温度を３５℃としたこと以外は上記実施例１の「１−１．種汚泥（嫌気性細菌２）の馴致」に記載の方法と同様にして種汚泥の馴致を行い、第２実施の形態に係る嫌気性処理槽５２に得られた種汚泥を３００ｍＬずつ導入したものを６検体準備した。
【００７９】
それぞれの検体に、微生物担体及び導電性物質４のいずれも導入しないか（検体１）、あるいは微生物担体として発泡ウレタンを３０ｇ導入し（検体２）、また、導電性物質４としてグラファイトフェルト（検体３）、マグネタイト（検体４）、硫化鉄鉱物（検体５）及び粒状活性炭（検体６）をそれぞれ３０ｇずつ導入した。その後、各検体１〜６に前記食品工場から排出される油脂スカム（有機性廃棄物６の固形物）をそれぞれ１０ｇずつ投入した後、気相部を窒素ガスで置換し、密閉条件下、３５℃で嫌気性処理を行った。
【００８０】
その後、生成バイオガスをテフロン（登録商標）バックに回収してガス発生量を計測し、各検体における嫌気性処理の処理速度を評価した。
【００８１】
実施例１及び比較例１の結果を表１に、比較例２の結果を表２に示す。
【００８２】
【表１】
0006637671.tif 000002
【００８３】
【表２】
0006637671.tif 000003
【００８４】
表２の検体１〜２に示すように、嫌気性処理を３５℃で実施した比較例２の試験では、導電性物質を導入しない条件におけるバイオガス発生初期速度が１００〜１０３とほぼ変わらなかったのに対し、表２の検体３〜６に示すように、導電性物質を導入した条件では１１０〜１１８となり、バイオガス発生初期速度がわずかに増加する傾向を示した。
【００８５】
一方、表１の比較例１の検体１〜２に示すように、嫌気性処理を６０℃で実施した比較例１の試験は導電性物質を含まない条件であるが、バイオガス発生初期速度が２０７〜２１０となった。これは、単純に嫌気性処理を３５℃から６０℃へと上昇させたことによる嫌気性処理の処理速度向上効果を示している。さらに、表１の実施例１の検体１〜４に示すように、嫌気性処理を６０℃としたうえで導電性物質を導入した場合、バイオガス発生初期速度は３０５〜３９６となった。
【００８６】
これらの結果から、嫌気性処理の処理速度は、温度条件を変えずに導電性物質を導入することのみによっては僅かにしか上昇しないのに対し、処理温度を６０℃に向上させて導電性物質を導入した場合は顕著に上昇することが確認できた。
【００８７】
［実施例２］
２−１．液体の有機性廃棄物の連続処理
本実施例では、本発明の第１実施の形態に係る有機性廃棄物の処理装置１０を用いた。すなわち、図２の有機性廃棄物の処理装置１０を４系列（Ａ〜Ｄ系列）準備し、試験に用いた。それぞれの系列の嫌気性処理槽１２内に、導電性物質４として有効径０．３ｍｍの粒状活性炭を１Ｌ充填した。処理対象となる有機性廃棄物６の液体を供給配管１４を介して嫌気性処理槽１２内に供給し、処理液（処理物８）を嫌気性処理槽１２の最上部から引き抜くことで嫌気性処理槽１２内に上向流を発生させた。また、嫌気性処理槽１２の液を供給配管１４に返送する返送経路１６により、上向流の流速を調節した。嫌気性処理槽１２の温度調節は、温水ジャケット２２を含む温度制御手段により行った。
【００８８】
Ａ系列及びＢ系列の嫌気性処理槽１２に、上記比較例２で使用した種汚泥（嫌気性細菌２）をそれぞれ１Ｌずつ導入し、液体の有機性廃棄物６を連続的に供給することで嫌気性処理を開始した。嫌気性処理は、嫌気性処理槽１２の温度を３５℃に維持した条件で３０日間実施した後（検体Ａ−０、Ｂ−０）、温度を４５℃に昇温してさらに３０日間実施した（検体Ａ−１、Ｂ−１）。
【００８９】
なお、Ａ系列に導入した有機性廃棄物６の液体は実施例１で使用した食品工場から排出される油脂スカム（有機性廃棄物６の固形物）を、８０℃で２４時間撹拌混合することで液状としたもの（以下、油脂系の有機系廃棄物という）であり、Ｂ系列に導入した有機性廃棄物６の液体はＣＯＤｃｒ＝５，０００ｍｇ／Ｌでタンパク質を含む食品製造廃水（以下、炭水化物系の有機性廃棄物という）である。
【００９０】
Ｃ系列及びＤ系列の嫌気性処理槽１２に、上記実施例１で使用した種汚泥（嫌気性細菌２）をそれぞれ１Ｌずつ導入し、有機性廃棄物６の液体を連続的に供給することで嫌気性処理を開始した。嫌気性処理は、嫌気性処理槽１２の温度を５０℃に維持した条件で３０日間実施した後、温度を４５℃（検体Ｃ−１、Ｄ−１）、６７℃（検体Ｃ−２、Ｄ−２）、７０℃（検体Ｃ−３、Ｄ−３）及び８０℃（検体Ｃ−４、Ｄ−４）にそれぞれ昇温してさらに３０日間実施した。
【００９１】
なお、Ｃ系列に導入した有機性廃棄物６の液体は、上記油脂系の有機性廃棄物であり、Ｄ系列に導入した有機性廃棄物６の液体は、上記炭水化物系の有機性廃棄物である。
【００９２】
２−２．バイオガス発生量の比較（バイアル試験）
上記「２−１．液体の有機性廃棄物の連続処理」で得られた、嫌気処理を３０日間実施した後の検体Ａ−０〜Ａ−１、Ｂ−０〜Ｂ−１、Ｃ−０〜Ｃ−４及びＤ−０〜Ｄ−４から粒状活性炭（導電性物質４）を含んだ汚泥（嫌気性細菌２）をそれぞれ３００ｇ採取し、上記［実施例１］の「１−２．バイオガス発生量の比較」にいうバイアル試験を行い、各検体における嫌気性処理の処理速度を評価した。
【００９３】
なお、バイアル試験における回分式の嫌気性処理の温度は、各検体の嫌気性処理槽１２からの粒状活性炭（導電性物質４）を含んだ汚泥（嫌気性細菌２）採取時の嫌気性処理槽１２の維持温度と同一の温度とした。
【００９４】
実施例２の結果を表３に示し、有機性廃棄物６の液体の、上記「２−１．液体の有機性廃棄物の連続処理」後のＣＯＤｃｒ分解率（％）を表４に示す。尚、ＣＯＤｃｒの分析はＨＡＣＨ社製のＣＯＤｃｒ分析キットを使用し、嫌気処理槽への導入廃棄物と嫌気処理槽から排出される処理物のＣＯＤｃｒ分析値からＣＯＤｃｒ分解率を算出した。
【００９５】
【表３】
0006637671.tif 000004
【００９６】
【表４】
0006637671.tif 000005
【００９７】
表３に示すように、検体Ａ−０と検体Ａ−１、検体Ｃ−３との対比及び検体Ｂ−０と検体Ｂ−１、検体Ｄ−３との対比から、３５℃の条件で嫌気性処理を行う場合と比較して４５℃、７０℃の条件で嫌気性処理を行う場合には嫌気性処理の反応速度は約１．５倍になることがわかった。また、検体Ａ−０と検体Ｃ−０〜Ｃ−２との対比及び検体Ｂ−０と検体Ｄ−０〜Ｄ−２との対比から、３５℃の条件で嫌気性処理を行う場合と比較して５０℃〜６７℃の温度範囲で嫌気性処理を行う場合には反応速度が２倍以上に向上することが示された。
【００９８】
また、温度条件を揃えた場合の嫌気性処理の処理速度の向上効果は、炭水化物系の有機性廃棄物を嫌気性処理する場合よりも油脂系の有機性廃棄物を嫌気性処理する場合の方がより高い効果が得られることが示された。
【００９９】
さらに、実施例２においては、上記所定温度条件で３０日間の嫌気性処理を行った後のバイオガス発生量を比較しているから、実施例２によれば、３０日間という長期の嫌気性処理を行った後においても表３に示すとおりの嫌気性処理の処理速度の向上効果が維持されたことが示されている。
【０１００】
なお、表４に示すように、油脂系の有機性廃棄物及び炭水化物系の有機性廃棄物の双方とも、３５℃〜４５℃の温度条件でのＣＯＤｃｒ分解率は８０％以上であり（表４、検体Ａ−０〜Ａ−１及び検体Ｂ−０〜Ｂ−１参照）、５０℃〜６７℃の温度条件におけるＣＯＤｃｒ分解率は８８％以上となり（同表、検体Ｃ−０〜Ｃ−３及び検体Ｄ−０〜Ｄ−３参照）、安定した嫌気性処理が可能であることが示された。一方、８０℃の温度条件におけるＣＯＤｃｒ分解率は８％以下となり、処理液（処理物８）の水質が悪化していた。
【符号の説明】
【０１０１】
１  処理槽
４  導電性物質
６  有機性廃棄物
１０、５０  有機性廃棄物の処理装置
１２、５２  嫌気性処理槽（処理槽）
２１  温水循環路（温度制御手段）
２２  温水ジャケット（温度制御手段）
２３  温度センサ（温度制御手段）
２４  邪魔板（板部材）
２６  凹部（分離手段）
【図１】
0006637671.tif 000006
【図２】
0006637671.tif 000007
【図３】
0006637671.tif 000008